(57)【要約】      （修正有）【課題】切断開始および切断終了の瞬間にガラスチップに衝撃を与えず、かつチップの十分な切断を確保するために使用される案内装置及び切断設備を提供する。【解決手段】切断設備は、案内押圧ブロック８０１とスクライビングホイール８０５とを備え、案内押圧ブロック８０１の案内側は、凹部８０２および外面８０３を含み、当該凹部８０２にガラスチップ８０４が収容される場合、ガラスチップ８０４の表面は外面８０３と同一面に位置し、外面８０３はガラスチップを切断するためのスクライビングホイール８０５の切断開始および切断終了をガイドし、スクライビングホイール８０５は、案内押圧ブロック８０１の外面８０３で切断開始および切断終了を行うことで、案内押圧ブロック８０１の凹部８０２に収容されたガラスチップ８０４を切断する。【選択図】図８
0003219484.tif 000002
【実用新案登録請求の範囲】
【請求項１】
ガラスチップの切断を補助するための案内装置であって、
案内押圧ブロックを備え、
その中、前記案内押圧ブロックの案内側は、凹部と外面とを含み、前記凹部にガラスチップが収容される場合、前記ガラスチップの表面は前記外面と同一面に位置し、前記外面はガラスチップを切断するためのスクライビングホイールの切断開始および切断終了をガイドする
ことを特徴とする案内装置。
【請求項２】
前記案内押圧ブロックは、配列設置された少なくとも三つのサブ押圧ブロックを含み、その中、前記ガラスチップの縁部を収容するサブ押圧ブロックは、前記凹部および前記外面を含み、他のサブ押圧ブロックの表面は、前記凹部の底面と同一面に位置する
ことを特徴とする請求項１に記載の案内装置。
【請求項３】
前記案内押圧ブロックの材料は、ショア硬さが７５以下である材料を含む
ことを特徴とする請求項１または２に記載の案内装置。
【請求項４】
前記案内押圧ブロックの材料は、ナイロン材料を含む
ことを特徴とする請求項３に記載の案内装置。
【請求項５】
案内押圧ブロックとスクライビングホイールとを備え、
前記案内押圧ブロックの案内側は、凹部と外面とを含み、前記凹部にガラスチップが収容される場合、前記ガラスチップの表面は前記外面と同一面に位置し、前記外面はガラスチップを切断するためのスクライビングホイールの切断開始および切断終了をガイドし、
スクライビングホイールは、前記案内押圧ブロックの外面で切断開始および切断終了を行うことで、前記案内押圧ブロックの凹部に収容されたガラスチップを切断する
ことを特徴とする切断設備。
【請求項６】
前記案内押圧ブロックは、配列設置された少なくとも三つのサブ押圧ブロックを含み、その中、前記ガラスチップの縁部を収容するサブ押圧ブロックは、前記凹部および前記外面を含み、他のサブ押圧ブロックの表面は、前記凹部の底面と同一面に位置する
ことを特徴とする請求項５に記載の切断設備。
【請求項７】
前記案内押圧ブロックの材料は、ショア硬さが７５以下である材料を含む
ことを特徴とする請求項５または６に記載の切断設備。
【請求項８】
前記案内押圧ブロックは、ナイロン材料を用いて製造した案内押圧ブロックを含む
ことを特徴とする請求項７に記載の切断設備。
【考案の詳細な説明】
【技術分野】
【０００１】
本出願は、２０１８年６月５日に出願された中国実用新案登録出願(出願番号：２０１８２０８６７２４４．３)に基づき、優先権を主張する。上記中国特許出願の全部の内容は本出願に導入され、参照とする。
【０００２】
本考案は、ガラスチップ切断の技術分野に関し、特に、案内装置、及び切断設備に関する。
【背景技術】
【０００３】
現在のＣＩＧＳ薄膜太陽電池のガラスチップ切断設備は、ガラスチップを切断する際に、ダイヤモンドスクライビングホイールを使用して、チップ表面と直接接触する。図１に示すように、ガラスチップ１０１の上面は押圧ブロック１０２によって押圧され、スクライビングホイールはガラスチップ１０２の下面のＡの位置から切断開始する。Ａの位置は、一般的に、ガラスチップ上に位置し、また、ガラスチップの縁部から２〜４ｍｍ離れている。続いて、スクライビングホイールを使用して上方または右方に沿って切断する。その後、ガラスチップのもう一側の縁部のＢの位置まで到着しなかった位置で切断終了する。Ｂの位置は、一般的に、ガラスチップ上に位置し、また、ガラスチップのもう一縁部から２〜４ｍｍ離れている。このようにすると、切断距離（即ち、ＡからＢまでの距離）は、実際のガラス長さよりも小さくなり、切断が不十分である。したがって、後続のシンギュレーション工程で切断が不十分であり、また、ＣＩＧＳガラスチップガラスが熱を受けて変形するため、表面応力が増加し、シンギュレーションの不具合が発生
しやすくなる。
【考案の概要】
【０００４】
本考案は、上記の問題を解決するために、ガラスチップの切断を補助するための案内装置を提供し、前記案内装置は切断開始する際に刀輪とガラス縁部との直接接触を回避する場合に、ガラスチップの十分な切断を確保できる。
【０００５】
本考案は、ガラスチップを切断するための案内装置を提供する。当該案内装置は、
案内押圧ブロックを備え、その中、前記案内押圧ブロックの案内側は、凹部と外面とを含み、前記凹部にガラスチップが収容される場合、前記ガラスチップの表面は前記外面と同一面に位置し、前記外面はガラスチップを切断するためのスクライビングホイールの切断開始および切断終了をガイドする。
【０００６】
オプションとして、前記案内押圧ブロックは、配列設置された少なくとも三つのサブ押圧ブロックを含み、その中、前記ガラスチップの縁部を収容するサブ押圧ブロックは、前記凹部および前記外面を含み、他のサブ押圧ブロックの表面は、前記凹部の底面と同一面に位置する。
【０００７】
オプションとして、前記案内押圧ブロックの材料は、ショア硬さが７５以下である材料を含む。
【０００８】
オプションとして、前記案内押圧ブロックの材料は、ナイロン材料を含む。
【０００９】
本考案は、切断設備をさらに提供する。上記切断設備は、
案内押圧ブロックとスクライビングホイールとを備え、
前記案内押圧ブロックの案内側は、凹部と外面とを含み、前記凹部に前記ガラスチップが収容される場合、前記ガラスチップの表面は前記外面と同一面に位置し、前記外面はガラスチップを切断するためのスクライビングホイールの切断開始および切断終了をガイドし、
スクライビングホイールは、前記案内押圧ブロックの外面で切断開始および切断終了を行うことで、前記案内押圧ブロックの凹部に収容された前記ガラスチップを切断する。
【００１０】
オプションとして、前記案内押圧ブロックは、配列設置された少なくとも三つのサブ押圧ブロックを含み、その中、前記ガラスチップの縁部を収容するサブ押圧ブロックは、前記凹部および前記外面を含み、他のサブ押圧ブロックの表面は、前記凹部の底面と同一面に位置する。
【００１１】
オプションとして、前記案内押圧ブロックの材料は、ショア硬さが７５以下である材料を含む。
【００１２】
オプションとして、前記案内押圧ブロックは、ナイロン材料を用いて製造した案内押圧ブロックを含む。
【００１３】
本考案の実施例によって提供される技術案は、以下の有益な効果を含む。
【００１４】
本実施例によると、凹部および外面を含む案内押圧ブロックを使用してガラスチップの切断を補助し、案内押圧ブロック凹部にガラスチップが収容される場合、ガラスチップの表面は押圧ブロックの外面と同一面に位置し、この時、スクライビングホイールにより案内押圧ブロックの外面から切断開始して、押圧ブロックからガラスチップまでの円滑な移行接触、および、ガラスチップから押圧ブロックまでの円滑な移行接触を実現できることで、切断開始および切断終了の瞬間にガラスチップに衝撃を与えず、切断開始および切断終了のブラインドスポットも回避でき、チップの十分な切断を確保できる。すなわち、実際の切断距離がガラスの長さよりも大きくなって、切断の不十分によるシンギュレーションの異常を回避できる。
【００１５】
本考案のその他の特徴及び利点は、以下の明細書で説明し、一部は明細書の中で明らかになるか、或いは、本考案を実施することで了解することになる。本考案の目的及びその他の利点は、明細書、特許請求の範囲、及び図面の中で特に示した構成から、実現及び取得できる。
【図面の簡単な説明】
【００１６】
図面は、本考案の構成をさらによく理解させるために提供するものであり、明細書の一部を構成し、本考案の実施例とともに本考案の構成を解釈するが、本考案の構成を制限しない。
【図１】従来技術でのガラスチップ切断を示す模式図である。
【図２】本考案の一実施例に係るガラスチップを切断するための案内装置を示す模式図である。
【図３】本考案の一実施例に係るガラスチップを切断するための案内装置を示す模式図である。
【図４】本考案の一実施例に係るガラスチップを切断するための案内装置を示す模式図である。
【図５】本考案の一実施例に係るガラスチップを切断するための案内装置を示す模式図である。
【図６】本考案の一実施例に係るガラスチップを切断するための案内装置を示す模式図である。
【図７】本考案の一実施例に係るガラスチップを切断するための案内装置を示す模式図である。
【図８】本考案の一実施例に係る切断設備を示す模式図である。
【図９】本考案の一実施例に係る切断設備を示す模式図である。
【考案を実施するための形態】
【００１７】
以下、図面を参照して本考案の好ましい実施例を説明する。ここで説明する好ましい実施例は、ただ本考案を説明および解釈するものであり、本考案を限定しないことを、理解すべきである。
【００１８】
図２は、本考案の一実施例によって提供される案内装置を示す正面図である。図２を参照して、本実施例に係る案内装置は、案内押圧ブロック２００を備え、その中、案内押圧ブロック２００の案内側は、凹部２０１および外面２０２を含み、凹部２０１にガラスチップが収容される場合、ガラスチップの表面は外面２０２と同一面に位置し、外面２０２はガラスチップを切断するためのスクライビングホイールの切断開始および切断終了をガイドする。
【００１９】
図３は、案内押圧ブロック２００の凹部２０１にガラスチップ３０１を収容した場合を示す模式図である。凹部２０１は、底面および側壁を含み、案内押圧ブロック２００の凹部２０１にガラスチップ３０１が収容される場合、ガラスチップ３０１の対応される端面によって凹部２０１の底面および側壁が接触支持され、ガラスチップ３０１の凹部から露出された表面は案内押圧ブロックの案内側の外面２０２と同一面に位置することになる。ガラスチップを切断するためのスクライビングホイールは、案内押圧ブロックの外面２０２上で、切断開始（即ち、Ａ'である）および切断終了（即ち、Ｂ'である）を行う。
【００２０】
本実施例によって提供される案内装置によると、凹部および外面を含む案内押圧ブロックを使用してガラスチップの切断を補助し、案内押圧ブロック凹部にガラスチップが収容される場合、ガラスチップの表面は押圧ブロックの外面と同一面に位置し、この時、スクライビングホイールにより案内押圧ブロックの外面から切断開始して、押圧ブロックからガラスチップまでの円滑な移行接触、および、ガラスチップから押圧ブロックまでの円滑な移行接触を実現できることで、切断開始および切断終了の瞬間にガラスチップに衝撃を与えず、切断開始および切断終了のブラインドスポットも回避でき、チップの十分な切断を確保できる。すなわち、実際の切断距離がガラスの長さよりも大きくなって、切断の不十分によるシンギュレーションの異常を回避できる。
【００２１】
本考案の一実施例において、案内押圧ブロックは、配列設置された少なくとも三つのサブ押圧ブロックから構成され、その中、ガラスチップの縁部を収容するサブ押圧ブロックは凹部を含み、他のサブ押圧ブロックの表面は凹部内の底面と同一面に位置する。したがって、ガラスチップの長さによって、案内押圧ブロックの長さを調整できるし（中間のサブ押圧ブロックを増加するかまたは削減する）、また、ガラスチップの厚さによって、両端のサブ押圧ブロックを調整できる。このようにして、案内押圧ブロックの使用の柔軟性を増加した。
【００２２】
図４に示すように、一実施例において、案内押圧ブロック４００は、四つのサブ押圧ブロックを含み、その中、ガラスチップの縁部を収容するサブ押圧ブロック４０１は凹部４０３を含み、他のサブ押圧ブロック４０２の表面４０５は凹部４０３の底面と同一面に位置する。
【００２３】
図５は、図４に示したサブ押圧ブロック４０１の正面図であり、図６は、図５に示したサブ押圧ブロックの右側面図であり、図７は、図５に示したサブ押圧ブロックの底面図である。図５、図６、及び図７を参照すると、サブ押圧ブロック４０１の案内側は、凹部４０３および外面４０４を含み、凹部４０３にガラスチップが収容される場合、外面４０４はガラスチップの表面と同一面に位置し、外面４０４はガラスチップを切断するためのスクライビングホイールの切断開始および切断終了をガイドする。
【００２４】
本考案の一実施例において、案内押圧ブロックの材料は、ショア硬さが７５以下である材料を含む。スクライビングホイールがガラスチップの一側から切断し始める場合、このような硬さを有する案内押圧ブロックは、ガラスチップのもう一側でガラスチップを接触支持して、ガラスチップを動かないように維持させる。また、案内押圧ブロックは、その硬さが高くないので、ガラスチップが案内押圧ブロックによって接触支持される際に、接触支持された表面が案内押圧ブロックによって磨損されないように、ガラスチップを保護できる。例えば、案内押圧ブロックの材料は、ナイロン材料を含んでもよい。
【００２５】
本考案は、切断設備をさらに提供する。図８に示すように、上記切断設備は、案内押圧ブロック８０１とスクライビングホイール８０５とを備え、
案内押圧ブロック８０１の案内側は、凹部８０２および外面８０３を含み、当該凹部８０２にガラスチップ８０４が収容される場合、ガラスチップ８０４の表面は外面８０３と同一面に位置し、外面８０３はガラスチップを切断するためのスクライビングホイール８０５の切断開始および切断終了をガイドし、
スクライビングホイール８０５は、案内押圧ブロック８０１の外面８０３で切断開始および切断終了を行うことで、案内押圧ブロック８０１の凹部８０２に収容されたガラスチップ８０４を切断する。
【００２６】
一実施例において、図９に示すように、案内押圧ブロック８０１は、配列設置された少なくとも三つのサブ押圧ブロック９０１、９０２を含み、その中、ガラスチップ８０４の縁部を収容するサブ押圧ブロック９０１は、凹部８０２および外面８０３を含み、他のサブ押圧ブロック９０２の表面は凹部８０２の底面と同一面に位置する。
【００２７】
一実施例において、案内押圧ブロックの材料は、ショア硬さが７５以下である材料を含む。
【００２８】
一実施例において、案内押圧ブロックは、ナイロン材料を用いて製造した案内押圧ブロックを含む。
【００２９】
本実施例の切断設備において、凹部および外面を含む案内押圧ブロックを使用してガラスチップの切断を補助し、案内押圧ブロック凹部にガラスチップが収容される場合、ガラスチップの表面は押圧ブロックの外面と同一面に位置し、この時、スクライビングホイールにより案内押圧ブロックの外面から切断開始して、押圧ブロックからガラスチップまでの円滑な移行接触、および、ガラスチップから押圧ブロックまでの円滑な移行接触を実現できることで、切断開始および切断終了の瞬間にガラスチップに衝撃を与えず、切断開始および切断終了のブラインドスポットも回避でき、チップの十分な切断を確保できる。すなわち、実際の切断距離がガラスの長さよりも大きくなって、切断の不十分によるシンギュレーションの異常を回避できる。
【００３０】
当業者は、本考案の実施例を、方法、システム、または、コンピュータプログラム製品によって提供することができることを、理解すべきである。したがって、本考案は、完全なハードウェアの実施例、完全なソフトウェアの実施例、または、ソフトウェアとハードウェアとの組み合わせの実施例を採用することができる。
【００３１】
当業者は、本考案の精神および範囲から逸脱することなく、本考案に対してさまざまな修正および変形を行うことができることは明らかである。すると、本考案のこれら修改および変形が本考案の特許請求の範囲および等しい範囲内に属すると、本考案はこれら修正および変形を含むことが意図されている。
【図１】
0003219484.tif 000003
【図２】
0003219484.tif 000004
【図３】
0003219484.tif 000005
【図４】
0003219484.tif 000006
【図５】
0003219484.tif 000007
【図６】
0003219484.tif 000008
【図７】
0003219484.tif 000009
【図８】
0003219484.tif 000010
【図９】
0003219484.tif 000011